(57)【要約】【課題】マルチフィルムとの密着が防止できる農業用灌水チューブを提供し、灌水障害を排除するとともに、マルチフィルムや農業用灌水チューブ自体の破損を防止する。【解決手段】可撓性材料からなり扁平に潰されて畝１に敷設される農業用灌水チューブ１１であって、扁平となった上下管壁１１ａ，１１ｂを貫通する散水孔がチューブ長手方向に複数穿設され、少なくとも上下一方の管壁１１ａ，１１ｂの表面に、チューブ長手方向に連続する凸条１５を突設した。凸条１５は、上下両方の管壁１１ａ，１１ｂの表面に突設してもよい。凸条１５は、管軸直交方向に複数条平行に設けられることが好ましい。【選択図】      図１
2009296992.tif 000002
【特許請求の範囲】
【請求項１】
可撓性材料からなり扁平に潰されて畝に敷設される農業用灌水チューブであって、
扁平となった上下管壁の少なくとも上方に散水孔がチューブ長手方向に複数穿設され、
少なくとも上方の前記管壁の表面に、チューブ長手方向に連続する凸条が突設されたことを特徴とする農業用灌水チューブ。
【請求項２】
請求項１記載の農業用灌水チューブであって、
上下両方の前記管壁の表面に、前記凸条が突設されたことを特徴とする農業用灌水チューブ。
【請求項３】
請求項１又は請求項２記載の農業用灌水チューブであって、
前記凸条が、管軸直交方向に並列して複数条平行に設けられたことを特徴とする農業用灌水チューブ。
【請求項４】
可撓性材料からなり扁平に潰されて畝に敷設される農業用灌水チューブを用いた灌水方法であって、
扁平となった上下管壁の少なくとも上方に散水孔がチューブ長手方向に複数穿設され、
少なくとも上方の前記管壁の表面に、チューブ長手方向に連続する凸条が突設された農業用灌水チューブを、
植物が栽培され、マルチフィルムで覆われる前記畝の前記マルチフィルムの下に敷設して、該農業用灌水チューブに水を供給し灌水することを特徴とする農業用灌水チューブを用いた灌水方法。
【請求項５】
前記植物が栽培され、マルチフィルムで覆われる前記畝が、農業用ハウス内であることを特徴とする請求項４記載の農業用灌水チューブを用いた灌水方法。
【発明の詳細な説明】
【技術分野】
【０００１】
本発明は、畑地や農業用ハウスの灌水に用いられる農業用灌水チューブ及びこの灌水チューブを用いた灌水方法に関する。
【背景技術】
【０００２】
畑地や農業用ハウスでは、可撓性材料であるポリオレフィン系の押出チューブに一定間隔で散水孔を設けた灌水チューブが用いられる。灌水チューブは、扁平に潰されて巻き取られたロール体から、畑地上にそのまま巻き解きながら延ばしていく簡単な取り扱いで設置が可能となる。チューブ内には０．５〜１．５気圧の水圧をかけることから、その水圧でパンクしないだけの強度が必要であり、チューブの厚みは通常０．１０〜０．３０ｍｍ程度とされる（例えば、特許文献１参照）。
【０００３】
一方、畑地や農業用ハウスでは、野菜の生育を促進させるために、畝や野菜の株元の土をポリエチレンフィルム（マルチフィルム）などで覆うマルチ栽培が行われることがある。マルチ栽培では地温が上がり、播種時期を早めることができたり、水分の蒸散を防ぎ土の固結を防いだり、また、土はねの防止や、病気にかかりにくくしたり、銀色マルチの場合には、光を反射して害虫を寄り難くする効果などが得られる。
【０００４】
灌水チューブをマルチ栽培で使用する際には、図７に示すように、畝１と、マルチフィルム３との間に灌水チューブ５を敷設する。灌水チューブ５は、灌水時以外は潰れた状態で平坦となる。灌水時には、チューブ端部から送水が行われ、チューブ内に所定の水圧がかけられることで、散水孔７，７から水の吐出が可能となる。
【特許文献１】実開平６−１９４４２号公報
【発明の開示】
【発明が解決しようとする課題】
【０００５】
灌水チューブ５は、灌水時以外は平坦に潰れた状態となり、内部は水の無い状態となる。すなわち、灌水チューブ５は、上面に被せられるマルチフィルム３に、平滑なポリエチレン製チューブの上面５ａが密接することとなる。このような状態で、特に夏季の強い太陽光の照射によりマルチフィルム３と灌水チューブ５の温度が高温になると、介在する水溶性異物の固結等も手伝って、密接面３ａ，５ａ同士が接着（密着）することがある。密着状態で灌水チューブ５内へ送水が行われると、散水孔７が塞がれて散水が行えないばかりか、散水孔７が塞がれることによる局所的な吐出水圧の上昇、管内水圧の上昇により薄いマルチフィルム３が破れたり、灌水チューブ５自体に破れの生じる虞もあった。
【０００６】
本発明は上記状況に鑑みてなされたもので、マルチフィルムとの密着が防止できる農業用灌水チューブを提供し、もって、灌水障害を排除するとともに、マルチフィルムや農業用灌水チューブ自体の破損防止を図ることを目的とする。
【課題を解決するための手段】
【０００７】
次に、上記の課題を解決するための手段を、実施の形態に対応する図面を参照して説明する。
本発明の請求項１記載の農業用灌水チューブは、可撓性材料からなり扁平に潰されて畝１に敷設される農業用灌水チューブ１１であって、
扁平となった上下管壁１１ａ，１１ｂを貫通する散水孔１３がチューブ長手方向ａに複数穿設され、
少なくとも上下一方の前記管壁１１ａの表面に、チューブ長手方向ａに連続する凸条１５が突設されたことを特徴とする。
【０００８】
この農業用灌水チューブでは、凸条１５が上側管壁１１ａの表面となるように、灌水チューブ１１が畝１とマルチフィルム３の間に敷設されると、凸条１５の先端がマルチフィルム３に接触し、凸条１５近傍で、マルチフィルム３が持ち上げられて灌水チューブ１１と密着しなくなる。これにより、接触面積が減って、マルチフィルム３との密着が生じ難くなる。
【０００９】
請求項２記載の農業用灌水チューブは、請求項１記載の農業用灌水チューブであって、
上下両方の前記管壁１１ａ，１１ｂの表面に、前記凸条１５が突設されたことを特徴とする。
【００１０】
この農業用灌水チューブでは、マルチフィルム３の重ね目など、上下にマルチフィルム３が配置される場合であっても、凸条１５の先端がマルチフィルム３に接触し、灌水チューブ上下面の凸条１５近傍で、マルチフィルム３が離間される。また、マルチフィルム３が上面のみに被せられる場合において、灌水チューブ１１が捩れて上下反転しても、上下いずれかの管壁１１ａ，１１ｂの表面に突設された凸条１５がマルチフィルム３に接触する。
【００１１】
請求項３記載の農業用灌水チューブは、請求項１又は請求項２記載の農業用灌水チューブであって、
前記凸条１５が、管軸直交方向ｂに並列して複数条平行に設けられたことを特徴とする。
【００１２】
この農業用灌水チューブでは、凸条１５によりマルチフィルム３と灌水チューブ１１Ａが接触しなくなる領域が増え、接触面積がさらに減る。また、管壁１１ａ，１１ｂの両面に複数条の凸条１５を平行に設けた構成によれば、扁平に潰されてディスク状に巻き取られた際、隣接巻回層の凸条１５，１５同士がチューブ幅方向で互いに引っ掛かり、横滑りし難くなる。
【００１３】
請求項４記載の農業用灌水チューブを用いた灌水方法は、可撓性材料からなり扁平に潰されて畝１に敷設される農業用灌水チューブ１１を用いた灌水方法であって、
扁平となった上下管壁１１ａ，１１ｂの少なくとも上方に散水孔１３がチューブ長手方向ａに複数穿設され、
少なくとも上方の前記管壁１１ａの表面に、チューブ長手方向ａに連続する凸条１５が突設された農業用灌水チューブ１１を、
植物Ｆが栽培され、マルチフィルム３で覆われる前記畝１の前記マルチフィルム３の下に敷設して、該農業用灌水チューブ１１に水を供給し灌水することを特徴とする。
【００１４】
この農業用灌水チューブを用いた灌水方法では、灌水チューブ１１をマルチフィルム３の下に敷設することで、畝１の上で、灌水チューブ１１の凸条１５が上側管壁１１ａの表面となって、凸条１５の先端がマルチフィルム３に接触することとなる。このことから、凸条１５近傍で、マルチフィルム３が持ち上げられ、灌水チューブ１１と面同士で密着しなくなる。これにより、接触面積が減って、マルチフィルム３との密着が生じ難くなる。そして、灌水チューブ１１に水の供給が行われると、水圧によって灌水チューブ１１は断面略円形に変形しマルチフィルム３を持ち上げ、散水孔１３より畝１に植えられた植物Ｆに灌水を行う。
【００１５】
請求項５記載の農業用灌水チューブを用いた灌水方法は、前記植物が栽培され、マルチフィルムで覆われる前記畝が、農業用ハウス内であることを特徴とする。
【００１６】
この農業用灌水チューブを用いた灌水方法では、農業用ハウス内の畝１に対し、マルチフィルム３が敷設され、このマルチフィルム３と畝１との間に灌水チューブ１１が位置することとなり、畝１に植えられている植物Ｆに対し、散水孔１３からの灌水が行われる。
【発明の効果】
【００１７】
本発明に係る請求項１記載の農業用灌水チューブによれば、扁平となった少なくとも上下一方の管壁の表面に、チューブ長手方向に連続する凸条を突設したので、凸条が上側管壁の表面となるように、灌水チューブを畝とマルチフィルムの間に敷設すれば、凸条の先端がマルチフィルムに接触し、凸条近傍で、マルチフィルムと灌水チューブが互いに密着接触しなくなり、接触面積が減って、密着が生じ難くなる。これにより、散水孔が塞がれなくなり、送水時、散水孔から水が良好に送出して、散水が円滑に行えるとともに、管内水圧や送出水圧が必要以上に上昇することによる灌水チューブ自体やマルチフィルムの破損を防止できる。
【００１８】
請求項２記載の農業用灌水チューブによれば、上下両方の管壁の表面に、凸条を突設したので、マルチフィルムの重ね目など、上下にマルチフィルムが配置される場合であっても、上層のマルチフィルム、下層のマルチフィルムとの密着を防止できる。また、マルチフィルムが上面のみに被せられる場合において、灌水チューブが捩れて上下反転し、いずれの管壁表面が上側となっても、マルチフィルムとの密着を防止できる。
【００１９】
請求項３記載の農業用灌水チューブによれば、凸条を、管軸直交方向に並列して複数条平行に設けたので、凸条によりマルチフィルムと灌水チューブが接触しなくなる領域が増え、接触面積がさらに減って、密着がより生じ難くなる。また、特に管壁両面に複数条の凸条を並列して設けた構成によれば、扁平に潰されてディスク状に巻き取られた際、隣接巻回層の凸条同士がチューブ幅方向で互いに引っ掛かり、巻き取り軸方向にチューブが横滑りすることによる巻き崩れが生じ難くなる。この結果、ハンドリング性を向上させることができる。
【００２０】
請求項４記載の農業用灌水チューブの灌水方法によれば、偏平状態の灌水チューブをマルチフィルムの下に敷設することで、畝の上で、灌水チューブの凸条が上側管壁の表面となって、凸条の先端がマルチフィルムに接触することとなる。このことから、凸条近傍で、マルチフィルムが持ち上げられ、灌水チューブと面同士で密着しなくなる。これにより、接触面積が減って、マルチフィルムとの密着が生じ難くなる。そして、灌水チューブに水の供給が行われると、水圧によって灌水チューブは断面略円形に変形しマルチフィルムを持ち上げ、散水孔は塞がれることなく、送水により散水孔から畝に植えられた植物に対して良好に水を送出し、灌水が行われる。
【００２１】
請求項５記載の農業用灌水チューブを用いた灌水方法によれば、農業用ハウス内に作られた畝に対し、マルチフィルムが敷設され、このマルチフィルムと畝との間に灌水チューブが位置することとなり、畝に植えられている植物に対し、散水孔からの灌水が良好に行われる。特に農業用ハウス内での花卉や果菜などの作物等、噴霧散水などが適さない作物に対して灌水を行う場合に行われるマルチフィルム下への灌水を良好に行うことが可能となる。
【発明を実施するための最良の形態】
【００２２】
以下、本発明に係る農業用灌水チューブの好適な実施の形態を図面を参照して詳細に説明する。
図１は本発明に係る農業用灌水チューブの畝とマルチフィルムの間に敷設された断面図、図２は図１に示した農業用灌水チューブの斜視図、図３は上側管壁がマルチフィルムにて覆われる農業用灌水チューブの斜視図、図４は畝とマルチフィルムの間に敷設された非送水時の断面図、図５は畝とマルチフィルムの間に敷設された送水時の斜視図である。
本実施の形態による農業用灌水チューブ１１は、図１に示すように、可撓性材料からなり扁平に潰されて畝１に敷設される。可撓性材料としては、低密度ポリエチレン、エチレン−酢酸ビニルコポリマーなどを組成原料に用いることができる。
【００２３】
図２に示すように、扁平となった上下管壁１１ａ，１１ｂには、上下に貫通する散水孔１３がチューブ長手方向ａに複数穿設される。散水孔１３は、管軸直交方向ｂの両側に配設され、所定間隔のピッチＰを半ピッチ分ずらして並べられ、均一な灌水が行えるようになっている。散水孔１３は、レーザー光の照射やパンチ孔で穿孔される。レーザー光は、高い真円度で穿孔でき、吐出水量を均一化できるので好ましい。なお、この散水孔１３は、上記のように上下管壁１１ａ，１１ｂを貫通して穿設しても良く、或いは上下いずれか一方の管壁に穿設するよう構成してもよい。
【００２４】
農業用灌水チューブ１１の少なくとも上下管壁１１ａ，１１ｂの一方の表面には、チューブ長手方向に連続する凸条１５が突設される。本実施の形態では、図３に示すように、マルチフィルム３との対向面となる上側の管壁１１ａに凸条１５が突設されている。なお、後述するように、凸条１５は、上下管壁１１ａ，１１ｂの双方の表面に設けられてもよい。
【００２５】
凸条１５は、高さ０．１〜１．０ｍｍ、幅１．０〜５．０ｍｍ程度で形成することができる。凸条１５の管軸直交方向ｂの断面形状は、図例の四角形状の他、凸状湾曲形状、円弧形状、楕円弧形状、長円形状、三角形状とすることができる。
【００２６】
凸条１５は、管軸直交方向ｂに並列して複数条平行に設けられることが好ましい。チューブ幅５０ｍｍ当たり１〜１５条設けることができる。本実施の形態では、直径３０ｍｍの扁平とした一方の管壁１１ａに、１１本の凸条１５が設けられる。凸条１５が複数条設けられることで、マルチフィルム３と農業用灌水チューブ１１が接触しなくなる領域が増える。これにより、接触面積がさらに減って、密着がより生じ難くなっている。
【００２７】
上記構成の農業用灌水チューブ１１では、図４に示すように、凸条１５が上側管壁１１ａの表面となるように、畝１とマルチフィルム３の間に農業用灌水チューブ１１が敷設されると、凸条１５の先端がマルチフィルム３に接触し、凸条１５近傍で、マルチフィルム３が持ち上げられて灌水チューブ１１と接触しなくなる。これにより、接触面積が減って、マルチフィルム３との密着が生じ難くなる。
【００２８】
したがって、上記実施の形態による農業用灌水チューブ１１によれば、扁平となった少なくとも上下一方の管壁１１ａの表面に、チューブ長手方向ａに連続する凸条１５を突設したので、凸条１５が上側管壁１１ａの表面となるように、灌水チューブ１１を畝１とマルチフィルム３の間に敷設すれば、凸条１５の先端がマルチフィルム３に接触し、凸条１５近傍で、マルチフィルム３と灌水チューブ１１が接触しなくなり、接触面積が減って、密着が生じ難くなる。これにより、図５に示すように、散水孔１３が塞がれなくなり、送水時、散水孔１３から水１７が良好に吐出して、散水が円滑に行えるとともに、管内水圧や送出水圧が必要以上に上昇することによる灌水チューブ１１自体やマルチフィルム３の破損を防止できる。
【００２９】
また、農業用灌水チューブ１１は、成形工程で円筒状チューブを扁平に押し潰して、折り畳み状長尺物に変形するとき、両サイドにできる折目部について、押し潰し圧力を高くしすぎると、応力集中が過度となって、折目部の強度低下を招く。折目部の強度低下を招かないよう押し潰し圧力に留意する必要があるが、この圧力が弱いと、原料樹脂の弾性によって折目部分の管壁１１ａ，１１ｂ同士が完全密着するまで変形せず、両サイドに空間が残って、中央部に比べ両サイドが厚くなってしまう。
【００３０】
このような両サイドが僅かに膨らんだチューブを長尺に巻き取っていくと、数百層も巻き重ねられるため、積層して両サイドと中央部の厚みの差は大きくなり、ディスク状となった巻き取チューブの最外周部の直径方向の断面を接線方向から見た姿はチューブ両サイドで盛り上がり、直径３０ｍｍ、長さ２００ｍのチューブの場合で、その差は５〜６ｍｍに達する。
【００３１】
このような巻取製品は、使用に至るまでの期間に密着度の高い中央部は主に巻き締まりを起こし、両サイドは空隙が残っているため収縮力が働かない、といった部分的歪の偏差を生じることによって、一種の撓みを内包している。このため、使用に際し巻き解き、一直線に延ばす時に捩れを生じ易く、水圧をかければ捩れ箇所で水の通りが悪く、チューブが踊ってしまい、甚だしければパンクしたりもする。
【００３２】
これに対し、上記実施の形態による農業用灌水チューブ１１によれば、中央部に凸条１５が設けられていることで、折目部のチューブ管壁１１ａ，１１ｂ同士を、中央部と同じに密接して巻き取ることができる。これにより、両サイドと中央部の歪の偏差が生じず、巻き解きに際し捩れを生じなくできる。
【００３３】
そして、このような農業用灌水チューブ１１を用いた灌水方法では、上記の灌水チューブ１１を、植物Ｆが栽培され、マルチフィルム３で覆われる畝１のマルチフィルム３の下に敷設して、灌水チューブ１１に水を供給し、植物Ｆへの灌水が行われる。
【００３４】
この灌水方法によれば、灌水チューブ１１をマルチフィルム３の下に敷設することで、畝１の上で、灌水チューブ１１の凸条１５が上側管壁１１ａの表面となって、凸条１５の先端がマルチフィルム３に接触することとなる。このことから、凸条１５近傍で、マルチフィルム３が持ち上げられ、灌水チューブ１１と面同士で密着しなくなる。これにより、接触面積が減って、マルチフィルム３との密着が生じ難くなる。
そして、灌水チューブ１１に水の供給が行われると、水圧によって灌水チューブ１１は断面略円形に変形しマルチフィルム３を持ち上げ、散水孔１３塞がれることなく、送水により散水孔１３から畝１に植えられた植物Ｆに対して良好に水を送出し、灌水が行われる。
【００３５】
また、この灌水方法においては、植物Ｆが栽培され、マルチフィルム３で覆われる畝１が、農業用ハウス（図示せず）内であることとしても良く、この灌水方法によれば、農業用ハウス内に作られた畝１に対し敷設されるマルチフィルム３と畝１との間に灌水チューブ１１が位置することとなり、畝１に植えられている植物Ｆに対し、上記のように散水孔１３からの灌水が行われる。特に農業用ハウス内での花卉や果菜などの作物等、噴霧散水などが適さない植物Ｆに対して灌水を行う場合に行われるマルチフィルム３下への灌水を良好に行うことが可能となる。
【００３６】
次に、本発明に係る農業用灌水チューブの他の実施の形態を説明する。
図６は他の実施の形態に係る農業用灌水チューブの敷設状態における管軸直交方向の断面図である。
この実施の形態による農業用灌水チューブ１１Ａは、上下両方の管壁１１ａ，１１ｂの表面に、複数条の凸条１５が突設されている。他の構成は、農業用灌水チューブ１１と同一である。
【００３７】
この農業用灌水チューブ１１Ａによれば、マルチフィルム３の重ね目など、上下にマルチフィルム３が配置される場合であっても、凸条１５の先端がマルチフィルム３に接触し、灌水チューブ上下面１１ａ，１１ｂの凸条１５近傍で、マルチフィルム３が離間される。また、マルチフィルム３が上面１１ａのみに被せられる場合において、灌水チューブ１１Ａが捩れて上下反転しても、上下いずれかの管壁表面１１ａ，１１ｂに突設された凸条１５がマルチフィルム３に接触し、マルチフィルム３との密着を防止できる。
【００３８】
また、管壁１１ａ，１１ｂの両面に複数条の凸条１５を設けることにより、扁平に潰されてディスク状に巻き取られた際、隣接巻回層の凸条１５，１５同士がチューブ幅方向で引っ掛かり、横滑りしなくなる。これにより、巻き取り軸方向（管軸直交方向ｂ）に農業用灌水チューブ１１が横滑りすることによる巻き崩れが生じ難くなる。この結果、ハンドリング性を向上させることができる。
【図面の簡単な説明】
【００３９】
【図１】本発明に係る農業用灌水チューブの畝とマルチフィルムの間に敷設された断面図である。
【図２】図１に示した農業用灌水チューブの斜視図である。
【図３】上側管壁がマルチフィルムにて覆われる農業用灌水チューブの斜視図である。
【図４】畝とマルチフィルムの間に敷設された農業用灌水チューブの非送水時の断面図である。
【図５】畝とマルチフィルムの間に敷設された農業用灌水チューブの送水時の斜視図である。
【図６】他の実施の形態に係る農業用灌水チューブの敷設状態における管軸直交方向の断面図である。
【図７】従来の農業用灌水チューブの敷設状態における管軸直交方向の断面図である。
【符号の説明】
【００４０】
１…畝
３…マルチフィルム
１１…農業用灌水チューブ
１１ａ，１１ｂ…上下管壁
１３…散水孔
１５…凸条
ａ…チューブ長手方向
ｂ…管軸直交方向
Ｆ…植物
【図１】
2009296992.tif 000003
【図２】
2009296992.tif 000004
【図３】
2009296992.tif 000005
【図４】
2009296992.tif 000006
【図５】
2009296992.tif 000007
【図６】
2009296992.tif 000008
【図７】
2009296992.tif 000009